(57)【特許請求の範囲】
【請求項１】
互いに対向する一対の基板と、それらの基板間に封入された液晶と、前記一対の基板の外側からそれらの基板へ向けて光を出射する光源と、上記一対の基板のいずれか一方に形成されたセグメント電極と、そのセグメント電極以外の領域を遮光するために前記一対の基板のいずれか一方に形成される遮光パターンとを有する液晶装置において、
前記光源が点光源をなすＬＥＤであり、前記遮光パターンと前記セグメント電極とは前記光源からの光の光路に対応して位置的にずれて配置されるとともに、その位置ずれ寸法が前記光源に近い位置にある遮光パターンで相対的に小さく、前記光源から遠い位置にある遮光パターンで相対的に大きいことを特徴とする液晶装置。
【請求項２】
請求項１記載の液晶装置において、前記遮光パターンと前記セグメント電極とは同一の基板の表裏に形成されることを特徴とする液晶装置。
【請求項３】
写真フィルムにデータ像を露光するカメラ用データ写し込み装置であって、
前記データ像に対応する光像を形成する液晶装置と、その液晶装置を前記写真フィルムに対向するように支持するケーシングとを有するカメラ用データ写し込み装置において、
前記液晶装置は、請求項１又は請求項２記載の液晶装置であることを特徴とするカメラ用データ写し込み装置。
【請求項４】
写真フィルムを搬送するフィルム搬送路と、そのフィルム搬送路に対向して配設されるカメラ用データ写し込み装置とを有するカメラにおいて、
そのカメラ用データ写し込み装置は請求項３記載のカメラ用データ写し込み装置であることを特徴とするカメラ。
【発明の詳細な説明】
【０００１】
【発明の属する技術分野】
本発明は、液晶の配向を制御することによって光像を形成する液晶装置に関する。また本発明は、その液晶装置を用いて構成されるカメラ用データ写し込み装置に関する。また本発明は、そのカメラ用データ写し込み装置を用いて構成されるカメラに関する。
【０００２】
【従来の技術】
人物、風景等を撮影するカメラは広く知られている。このようなカメラにおいて、撮影した像の中に日付、曜日等といったデータを書き込むための装置、すなわちカメラ用データ写し込み装置を備えたものがある。
【０００３】
このカメラ用データ写し込み装置として、従来、日付等といったデータ像に対応する光像を形成する液晶装置と、その液晶装置を写真フィルムに対向するように支持するケーシングとを有するものが知られている。
【０００４】
また、ここで用いられる液晶装置として、従来、互いに対向する一対の基板と、それらの基板間に封入された液晶と、それらの基板の外側からそれらの基板へ向けて光を出射する光源と、上記基板のいずれかに形成されたセグメント電極と、そのセグメント電極が設けられない領域（すなわち、非セグメント領域）を遮光するために上記基板のいずれかに形成される遮光パターンとを含んで構成されるものが知られている。
【０００５】
【発明が解決しようとする課題】
しかしながら、上記従来の液晶装置においては、図６に示すように、基板５１の一方の表面に形成されるセグメント電極５２の外縁５２ａと、基板５１の反対側の表面に形成される遮光パターン５３の外縁５３ａとが一致するように、セグメント電極５２及び遮光パターン５３が基板５２の表面に形成されていた。一方、カメラ用データ写し込み装置等に用いられる液晶装置では、光源として点光源が使用されることが多く、それ故、その点光源から出た光はセグメント電極５２に斜め方向から入射するようになっていた。
【０００６】
以上のように、従来の液晶装置では、セグメント電極５２に斜め方向から光が入射し、しかも、セグメント電極５２の外縁５２ａと遮光パターン５３の外縁５３ａとが一致するようにセグメント電極５２及び遮光パターン５３の両者が形成されていたので、基板５１の厚さに起因して遮光ずれが生じ、よって、図６のＡ領域のように本来遮光しなければならない所から光が漏れたり、Ｂ領域のように本来ならばセグメント電極５２を通って光像を形成する光が誤って遮光されたりするという現象が生じていた。このような現象が生じると、液晶装置で表示される可視像が変形したり、欠けたりするといった問題が発生する。
【０００７】
本発明は、上記の問題点に鑑みて成されたものであって、遮光パターンによる遮光精度を向上して、鮮明な光像を形成できるようにすることを目的とする。
【０００８】
【課題を解決するための手段】
（１）  上記の目的を達成するため、本発明に係る液晶装置は、互いに対向する一対の基板と、それらの基板間に封入された液晶と、前記一対の基板の外側からそれらの基板へ向けて光を出射する光源と、上記一対の基板のいずれか一方に形成されたセグメント電極と、そのセグメント電極以外の領域を遮光するために前記一対の基板のいずれか一方に形成される遮光パターンとを有する液晶装置において、前記光源が点光源をなすＬＥＤであり、前記遮光パターンと前記セグメント電極とは前記光源からの光の光路に対応して位置的にずれて配置されるとともに、その位置ずれ寸法が前記光源に近い位置にある遮光パターンで相対的に小さく、前記光源から遠い位置にある遮光パターンで相対的に大きいことを特徴とする。
【０００９】
この液晶装置によれば、セグメント電極が存在しない非セグメント領域に斜め方向から入射した光を遮光パターンによって確実に遮光でき、しかも、セグメント電極が存在するセグメント領域に斜め方向から入射した光は遮光パターンによって遮光することがなくなるので、光の出射側に変形や欠けのない鮮明な光像を得ることができる。
【００１０】
（２）  遮光パターンとセグメント電極とは同じ基板の表裏両面に形成することもできるし、あるいは、それぞれを異なる基板の表面に形成することもできる。しかしながら、それらを異なる基板の表面に形成することにすれば、遮光パターンとセグメント電極との間に大きな間隔が生じるので、両者の位置合わせが難しくなることが考えられる。一方、遮光パターンとセグメント電極とを同一の基板の表裏に形成することにすれば、両者の間の間隔は基板の厚さだけ、すなわち最小限の間隔となるので、遮光パターンとセグメント電極の両者の位置合わせが簡単になる。
【００１１】
（３）  次に、本発明に係るカメラ用データ写し込み装置は、写真フィルムにデータ像を露光するカメラ用データ写し込み装置であって、前記データ像に対応する光像を形成する液晶装置と、その液晶装置を前記写真フィルムに対向するように支持するケーシングとを有するカメラ用データ写し込み装置において、液晶装置が上記（１）又は（２）記載の液晶装置であることを特徴とする。
【００１２】
上記（１）及び（２）記載の液晶装置によれば、変形や欠けの無い鮮明な光像を得ることができるので、これを用いてカメラ用データ写し込み装置を構成すれば、日付等といったデータの光像を写真フィルム上に鮮明に形成できる。
【００１３】
（４）  次に、本発明に係るカメラは、写真フィルムを搬送するフィルム搬送路と、そのフィルム搬送路に対向して配設されるカメラ用データ写し込み装置とを有するカメラにおいて、そのカメラ用データ写し込み装置が上記（３）記載のカメラ用データ写し込み装置であることを特徴とする。
【００１４】
上記（３）記載のカメラ用データ写し込み装置によれば、上記の通り日付等といったデータの光像を写真フィルム上に鮮明に形成できるので、出来上がった写真内に日付等といったデータが鮮明に印画される。
【００１５】
【発明の実施の形態】
図５は、本発明に係るカメラの一実施形態を示している。このカメラは、レンズ光学系１及びシャッターボタン２が取り付けられたボディー３と、そのボディー３の中に形成されたフィルム搬送路４と、そのフィルム搬送路４に対向して配設されたカメラ用データ写し込み装置６とを有する。フィルム搬送路４にはフィルム７が間欠的に送り出される。
【００１６】
カメラ用データ写し込み装置６は、図２に示すように、回路基板８を挟んで組み付けられた第１ケーシング１１及び第２ケーシング１２を有する。第１ケーシング１１には表示用液晶装置１３及び反射ミラー１４が取り付けられ、回路基板８には点状光源として作用するＬＥＤ１６が取り付けられ、そして、第２ケーシング１２に写し込み用液晶装置１７が取り付けられる。表示用液晶装置１３の可視像表示面は、図５においてカメラボディー３の外部へ露出する。一方、写し込み用液晶装置１７の可視像表示面はフィルム搬送路４に対向して位置する。図３に示すように、ＬＥＤ１６から出た光は反射ミラー１４で反射して写し込み用液晶装置１７を照明する。
【００１７】
写し込み用液晶装置１７は、図１に示すように、シール材２１によって貼り合わされて互いに対向する一対の基板１８ａ及び１８ｂと、それらの基板間に封入された液晶１９とを有する。基板１８ａ及び１８ｂは、例えばガラス基板によって形成される。ＬＥＤ１６からの光が入射する側の基板１８ｂの内側表面には共通電極２２が形成され、さらにその上に配向膜２３が形成される。また、光が出射する側の基板１８ａの内側表面には、セグメント電極２４が形成され、更のその上に配向膜２６が形成される。配向膜２３及び２６には一軸配向処理、例えばラビング処理が施される。セグメント電極２４は、例えば図４に示すように、年月日を示す数字を表現できるように配列されている。
【００１８】
図１において、光源側の基板１８ｂの外側表面には偏光板２７が貼着される。一方、光出射側の基板１８ａの外側表面には、遮光パターン２８が形成され、さらにその上に偏光板２９が貼着される。遮光パターン２８は、セグメント電極２４が形成されていない領域、すなわち非セグメント領域から光が漏れ出ることを防止するために形成されるものであり、例えばＮｉ（ニッケル）メッキによって形成される。
【００１９】
従来の写し込み用液晶装置においては、図６に示したように、セグメント電極５２が設けられない非セグメント領域の真後ろに遮光パターン５３がその非セグメント領域に正確に一致するように配設されていた。これに対し、本実施形態の遮光パターン２８は、非セグメント領域の真後ろにその非セグメント領域に正確に一致するように設けられるのではなくて、図１に示すように、セグメント電極２４に対して寸法δの位置ズレをもって形成される。
【００２０】
この位置ズレ寸法δは、全ての遮光パターン２８に対して一定値に設定されるものではなく、図示の通り、ＬＥＤ１６から供給される照明光の光路Ｒに応じて個々に設定される。具体的には、セグメント電極２４の外縁を通過する光ビームが遮光パターン２８を設けるべき位置に到達する所に遮光パターン２８の外縁が来るように遮光パターン２８を形成する。この場合、点光源であるＬＥＤ１６からの光は発散光となるので、ＬＥＤ１６に近い位置にある遮光パターン２８に関する位置ズレ寸法δは小さく、遮光パターン２８の位置がＬＥＤ１６から遠く離れる程、位置ずれ寸法δが大きくなる。
【００２１】
なお、図１では、ＬＥＤ１６から遮光パターン２８に到る光ビームを直線で描いてあるが、実際には、基板１８ａ、基板１８ｂ等の所で屈折することが考えられる。従って、そのような場合に遮光パターン２８の外縁位置を決める際には、光ビームが屈折することを考慮した上で遮光パターン２８の外縁位置を設定することが望ましい。
【００２２】
本実施形態では、以上のような規則に従って遮光パターン２８をセグメント電極２４に対して位置をずらせて配設したので、液晶装置１７に斜め方向から光が入射する場合でも、遮光パターン２８によって非セグメント領域だけを正確に遮光できる。
【００２３】
以上、好ましい実施形態を挙げて本発明を説明したが、本発明はその実施形態に限定されるものでなく、請求の範囲に記載した発明の範囲内で種々に改変できる。
【００２４】
例えば、本発明に係る液晶装置は、カメラ用データ写し込み装置に用いられる場合に限られず、非セグメント領域を遮光パターンによって遮光する必要がある液晶装置の全てに関して適用できる。また、セグメント電極のパターンは年月日のような数字に限られず、文字、絵柄等とすることもできる。
【００２５】
【発明の効果】
本発明に係る液晶装置、カメラ用データ写し込み装置及びカメラによれば、非セグメント領域に斜め方向から入射した光を遮光パターンによって確実に遮光でき、しかも、セグメント領域に斜め方向から入射した光は遮光パターンによって遮光することがなくなるので、光の出射側に変形や欠けのない鮮明な光像を得ることができる。
【図面の簡単な説明】
【図１】本発明に係る液晶装置の一実施形態を模式的に示す断面図である。
【図２】本発明に係るカメラ用データ写し込み装置の一実施形態を示す斜視図である。
【図３】図２のＺ−Ｚ線に従った断面構造を示す断面図である。
【図４】図１の液晶装置の平面図である。
【図５】本発明に係るカメラの一実施形態を示す斜視図である。
【図６】従来の液晶装置の要部を示す断面図である。
【符号の説明】
１          レンズ光学系
２          シャッタボタン
３          カメラボディー
４          フィルム搬送路
６          カメラ用データ写し込み装置
７          フィルム
８          回路基板
１１          第１ケーシング
１２          第２ケーシング
１３          表示用液晶装置
１４          反射ミラー
１６          ＬＥＤ（光源）
１７          写し込み用液晶装置
１８ａ，１８ｂ  基板
１９          液晶
２１          シール材
２２          共通電極
２３，２６    配向膜
２４          セグメント電極
２７，２９    配向膜
２８          遮光パターン
【図１】
0003733744.tif 000002
【図２】
0003733744.tif 000003
【図３】
0003733744.tif 000004
【図４】
0003733744.tif 000005
【図５】
0003733744.tif 000006
【図６】
0003733744.tif 000007